(57)【要約】【課題】複数組の塗装ヘッドで広幅の建築板を塗装するにあたって、位置ずれが生じたり境界が目立ったりすることなく、塗装を行なうことができる建築板の塗装装置を提供する。【解決手段】建築板１を送りながら、インクジェット式塗装機２に建築板１の送り方向に沿って複数配置して設けた各塗装ヘッド３の噴射ノズル４から、各塗装ヘッド３毎にそれぞれ異なる色の塗料を噴射させることによって、フルカラーで建築板１の表面を塗装するようにした建築板の塗装装置に関する。上記の建築板１の送り方向に一列に配置される複数の塗装ヘッド３を一組として、複数組の塗装ヘッド３を建築板１の送り方向と平行に複数列配置してインクジェット式塗装機２に設ける。そして、隣接する組みの塗装ヘッド３において、一方の組の建築板１の送り方向で隣合う塗装ヘッド３の間に、他方の組みの各塗装ヘッド３が位置するように、千鳥配列で複数組の塗装ヘッド３を配置する。【選択図】図１
2007098649.tif 000002
【特許請求の範囲】
【請求項１】
建築板を送りながら、インクジェット式塗装機に建築板の送り方向に沿って複数配置して設けた各塗装ヘッドの噴射ノズルから、各塗装ヘッド毎にそれぞれ異なる色の塗料を噴射させることによって、フルカラーで建築板の表面を塗装するようにした建築板の塗装装置において、上記の建築板の送り方向に一列に配置される複数の塗装ヘッドを一組として、複数組の塗装ヘッドを建築板の送り方向と平行に複数列配置してインクジェット式塗装機に設け、隣接する組みの塗装ヘッドにおいて、一方の組の建築板の送り方向で隣合う塗装ヘッドの間に、他方の組みの各塗装ヘッドが位置するように、千鳥配列で複数組の塗装ヘッドを配置して成ることを特徴とする建築板の塗装装置。
【請求項２】
一組の塗装ヘッドは、シアン、マゼンタ、イエロー、ブラックの各色の塗料を噴出する４種類の塗装ヘッドからなり、隣接する組みにおいて、同色の塗料を噴出する塗装ヘッドが隣合うように、各塗装ヘッドを配置して成ることを特徴とする請求項１に記載の建築板の塗装装置。
【発明の詳細な説明】
【技術分野】
【０００１】
本発明は、インクジェット式の塗装機を用いて建築板の表面にフルカラーの塗装を行なう建築板の塗装装置に関するものである。
【背景技術】
【０００２】
セメント系外装板などの建築板に塗装を施すにあたっては、従来からスプレー塗装機、ロールコーター塗装機、フローコーター塗装機などを用いて、建築板の表面に塗料を塗布することによって行なうのが一般的である。しかしこのようなスプレー、ロールコート、フローコートなどでは、複雑な柄模様に塗装を施すことが難しく、特に外装板のように不規則な凹凸を設けた建築板に塗装を施すことは困難である。一方、凸版や凹版などの印刷ロールを用いて塗装することも行なわれているが、この場合には同じ柄模様が繰り返して表れる塗装になって、単調な模様になり易く、また塗装する柄模様を変更する場合には印刷ロールを取り替える必要があって、建築板ごとに異なる模様を塗装することはできない。
【０００３】
そこで最近、インクジェットプリンターを塗装機として用い、建築板を送りながら、このインクジェット式の塗装機のノズルから塗料を噴射させることによって、建築板の表面を塗装することが提案されている（例えば特許文献１等参照）。
【０００４】
インクジェット式の塗装機では噴射ノズルから噴出させた塗料で、建築板の表面に対して非接触で塗装を行なうことができるものであり、また噴射ノズルからの塗料の噴出を制御することによって、建築板の任意の位置に任意の柄模様となるように塗料を噴出することができるものであり、表面に凹凸を有する建築板に複雑な柄模様で塗装を行なうことができるものである。特に、噴射ノズルから塗料を噴出する制御は、インクジェット式塗装機に供給される建築板ごとに設定することが可能であるので、建築板ごとに異なる模様を塗装することも可能になるものである。
【０００５】
ここで、インクジェット式塗装機を用いてフルカラーで塗装を行なう場合、シアン、マゼンタ、イエロー、ブラックの４種類の塗料を噴出し、４色のドットの集合によって色表現が行なわれるものであり、このため、噴射ノズル４を設けた塗装ヘッド３として、シアン、マゼンタ、イエロー、ブラックの４種類の各塗料をそれぞれと噴出する４種類の塗装ヘッド３ｃ，３ｍ，３ｙ，３ｋが用いられる。そして図７（ａ）に示すように、建築板１を送る方向に沿ってこの４種類の塗装ヘッド３ｃ，３ｍ，３ｙ，３ｋを配列することによって、各塗装ヘッド３ｃ，３ｍ，３ｙ，３ｋから建築板１にシアン、マゼンタ、イエロー、ブラックの各塗料を順に噴出し、フルカラーで塗装を行なうようにしている。
【０００６】
このように建築板１にフルカラーで塗装を行なうにあたって、建築板１としては、幅の狭い建築板１ａと、幅の広い建築板１ｂとがあり、幅の狭い建築板１ａは図７（ａ）のように一列の塗装ヘッド３ｃ，３ｍ，３ｙ，３ｋで塗装を行なうことができるが、幅の広い建築板１ｂの塗装を行なうことができるように、塗装ヘッド３ｃ，３ｍ，３ｙ，３ｋを一組として、二組の塗装ヘッド３ｃ，３ｍ，３ｙ，３ｋを図７（ｂ）のように二列に設けるようにしている。幅の狭い建築板１ａの場合は二組のうち、一方の組の塗装ヘッド３ｃ，３ｍ，３ｙ，３ｋで塗装を行ない、幅の広い建築板１ｂの場合は二組の塗装ヘッド３ｃ，３ｍ，３ｙ，３ｋで塗装を行なうものである。
【０００７】
そして各塗装ヘッド３ｃ，３ｍ，３ｙ，３ｋにおいて、噴射ノズル４は、建築板１の送り方向に対して垂直な方向、すなわち建築板１の幅方向に配列して、微小の一定ピッチで多数設けられているが、各塗装ヘッド３ｃ，３ｍ，３ｙ，３ｋの端部いっぱいにまでは噴射ノズル４を設けることができないので、図７（ｃ）のように二組の各塗装ヘッド３ｃ，３ｍ，３ｙ，３ｋを建築板１の幅方向に一直線に連ねると、建築板１の幅方向で隣合う各塗装ヘッド３ｃ，３ｍ，３ｙ，３ｋの対向する側の端部において、噴射ノズル４のピッチが途切れる部分Ｃができて、幅の広い建築板１ｂを塗装する際に、建築板１ｂの中央部に塗装できない部分が生じる。このため上記の図７（ｂ）のように、一方の組の塗装ヘッド３ｃ，３ｍ，３ｙ，３ｋを配列した後方に、他方の組の塗装ヘッド３ｃ，３ｍ，３ｙ，３ｋを配列するように、二組の塗装ヘッド３ｃ，３ｍ，３ｙ，３ｋを建築板１の送り方向の前後にずらした位置に設け、二組の塗装ヘッド３ｃ，３ｍ，３ｙ，３ｋにおいて、一方の組の塗装ヘッド３ｃ，３ｍ，３ｙ，３ｋの端部と他方の組の塗装ヘッド３ｃ，３ｍ，３ｙ，３ｋの端部を建築板１の幅方向で重複させることができるようにし、噴射ノズル４のピッチが途切れる部分ができないようにしているのである。
【特許文献１】特開２００５−７４６８６号公報
【発明の開示】
【発明が解決しようとする課題】
【０００８】
そして上記の図７（ｂ）のように、二組の塗装ヘッド３ｃ，３ｍ，３ｙ，３ｋを建築板１の送り方向の前後にずらした位置に設けた場合、広幅の建築板１ｂを塗装する際には、先ず前に位置する組の塗装ヘッド３ｃ，３ｍ，３ｙ，３ｋで建築板１ｂの幅方向の半分に塗装を行なった後、後ろに位置する組みの塗装ヘッド３ｃ，３ｍ，３ｙ，３ｋで建築板１ｂの幅方向の残りの半分に塗装を行なうことになるが、前に位置する組の塗装ヘッド３ｃ，３ｍ，３ｙ，３ｋから塗料を噴射した後、所定時間後に、後ろに位置する組の塗装ヘッド３ｃ，３ｍ，３ｙ，３ｋから塗料を噴射するように、建築板１ｂの送り速度に合わせて噴射の時間タイミングを設定することによって、広幅の建築板１ｂの幅方向全体に所望の柄パターンでフルカラーの塗装を行なうことができるものである。
【０００９】
しかし、上記の図７（ｂ）のように一方の組の塗装ヘッド３ｃ，３ｍ，３ｙ，３ｋを配列した後方に、他方の組の塗装ヘッド３ｃ，３ｍ，３ｙ，３ｋを配列するようにすると、前の組みの塗装ヘッド３ｃ，３ｍ，３ｙ，３ｋと、後ろの組の塗装ヘッド３ｃ，３ｍ，３ｙ，３ｋの間の距離が大きくなる。例えば各組において隣合う塗装ヘッド３ｃ，３ｍ，３ｙ，３ｋの間隔Ｓを７００ｍｍとすると、前の組と後ろの組の対応する塗装ヘッド３ｃ，３ｍ，３ｙ，３ｋの距離Ｄ１は３１００ｍｍ程度になる。そして建築板１ｂの送り速度を４０ｍ／分とすると、前の組の塗装ヘッド３ｃ，３ｍ，３ｙ，３ｋから塗料を噴射した後、４．７秒後に、後ろの組の塗装ヘッド３ｃ，３ｍ，３ｙ，３ｋから塗料を噴射するように、噴射の時間タイミングを設定する必要がある。
【００１０】
このように、前の組と後ろの組の塗装ヘッド３ｃ，３ｍ，３ｙ，３ｋの間での噴射の時間タイミングは数秒にもなる。そして、建築板１はベルトコンベアなどで送られるが、ベルトコンベア上での建築板１ｂの位置ずれや、ベルトコンベアの走行速度の微小な変動や誤差は避けることができないが、このように前の組と後ろの組の塗装ヘッド３ｃ，３ｍ，３ｙ，３ｋにおける噴射の時間タイミングが数秒にもなると、その間の建築板１ｂの位置ずれや送り速度の変動や誤差によって、図８に示すように、前の組みの塗装ヘッド３ｃ，３ｍ，３ｙ，３ｋによる塗装Ｐ１の位置と、後ろの組の塗装ヘッド３ｃ，３ｍ，３ｙ，３ｋによる塗装Ｐ２の位置とのずれが、建築板１ｂの送り方向で目立つ程度に生じることになり、建築板１ｂの幅方向全体の柄パターンにゆがみが生じたり、前の組みの塗装ヘッド３ｃ，３ｍ，３ｙ，３ｋによる塗装Ｐ１と、後ろの組の塗装ヘッド３ｃ，３ｍ，３ｙ，３ｋによる塗装Ｐ２の間の境界が目立つことになるという問題を有するものであった。
【００１１】
本発明は上記の点に鑑みてなされたものであり、複数組の塗装ヘッドで広幅の建築板を塗装するにあたって、位置ずれが生じたり境界が目立ったりすることなく、塗装を行なうことができる建築板の塗装装置を提供することを目的とするものである。
【課題を解決するための手段】
【００１２】
本発明の請求項１に係る建築板の塗装装置は、建築板１を送りながら、インクジェット式塗装機２に建築板１の送り方向に沿って複数配置して設けた各塗装ヘッド３の噴射ノズル４から、各塗装ヘッド３毎にそれぞれ異なる色の塗料を噴射させることによって、フルカラーで建築板１の表面を塗装するようにした建築板の塗装装置において、上記の建築板１の送り方向に一列に配置される複数の塗装ヘッド３を一組として、複数組の塗装ヘッド３を建築板１の送り方向と平行に複数列配置してインクジェット式塗装機２に設け、隣接する組みの塗装ヘッド３において、一方の組の建築板１の送り方向で隣合う塗装ヘッド３の間に、他方の組みの各塗装ヘッド３が位置するように、千鳥配列で複数組の塗装ヘッド３を配置して成ることを特徴とするものである。
【００１３】
また請求項２の発明は、請求項１において、一組の塗装ヘッド３は、シアン、マゼンタ、イエロー、ブラックの各色の塗料を噴出する４種類の塗装ヘッド３ｃ，３ｍ，３ｙ，３ｋからなり、隣接する組みにおいて、同色の塗料を噴出する塗装ヘッド３ｃ，３ｍ，３ｙ，３ｋが隣合うように、各塗装ヘッド３ｃ，３ｍ，３ｙ，３ｋを配置して成ることを特徴とするものである。
【発明の効果】
【００１４】
本発明によれば、複数組の塗装ヘッド３を用いて建築板１の塗装を行なうにあたって、前と後ろの組みの塗装ヘッド３において、対応する塗装ヘッド３間の距離を短くすることができるものであり、前の組と後ろの組の塗装ヘッド３の間での噴射の時間タイミングを短くすることができ、建築板１の位置ずれに対する前の組と後ろの組の塗装ヘッド３による塗装の位置ずれを小さくすることができるものであって、塗装の位置ずれや塗装の境界が目立ったりすることなく、高い精度で塗装を行なうことができるものである。
【発明を実施するための最良の形態】
【００１５】
以下、本発明を実施するための最良の形態を説明する。
【００１６】
インクジェット式塗装機２は、図３に概略構成を示すように、噴射ノズル４を設けた塗装ヘッド３、塗装ヘッド３の噴射ノズル４に塗料を供給する塗料供給タンク１１、噴射ノズル４からの塗料の噴射を制御する塗装制御システム１２などを設けた塗装機本体１３と、建築板１を搬送するフィーダー１４とを備えて形成されるものである。
【００１７】
塗装ヘッド３はシアン、マゼンタ、イエロー、ブラックの各色の塗料を噴出する４種類の塗装ヘッド３ｃ，３ｍ，３ｙ，３ｋから形成してあり、フルカラー印刷による塗装を行なうことができるようにしてある。塗料供給タンク１１も同様に４種類のものからなるものであり、シアンの塗料を供給する塗料供給タンク１１ｃは塗装ヘッド３ｃに、マゼンタの塗料を供給する塗料供給タンク１１ｍは塗装ヘッド３ｍに、イエローの塗料を供給する塗料供給タンク１１ｙは塗装ヘッド３ｙに、ブラックの塗料を供給する塗料供給タンク１１ｋは塗装ヘッド３ｋにそれぞれ接続してある。噴射ノズル４は各塗装ヘッド３ｃ，３ｍ，３ｙ，３ｋの下面に開口させて設けてあり、各塗装ヘッド３ｃ，３ｍ，３ｙ，３ｋは塗装機本体１３の下面に固定して設けてある。
【００１８】
そして図２に示すように各塗装ヘッド３ｃ，３ｍ，３ｙ，３ｋは建築板１の送り方向に沿って配列してあり、各塗装ヘッド３ｃ，３ｍ，３ｙ，３ｋは建築板１の送り方向と垂直な方向に長いラインヘッドとして形成されるものである。これらの各塗装ヘッド３には図４のように複数（例えば３０個）の単体ヘッド１６が、塗装ヘッド３の長手方向に一列に配列して取り付けてある。単体ヘッド１６は下面形状が矩形に形成してあり、単体ヘッド１６の下面に開口して多数の噴射ノズル４が形成してある。噴射ノズル４は所定の一定間隔で単体ヘッド１６の長手方向に配列されるものであり、図５の実施の形態では噴射ノズル４は単体ヘッド１６に４列設けるようにしてある。このように噴射ノズル４を設けた単体ヘッド１６を塗装ヘッド３にその長手方向に複数取り付けることによって、塗装ヘッド３の長手方向に配列されるように多数の噴射ノズル４を塗装ヘッド３に設けることができるものである。ここで、単体ヘッド１６はその長手方向を建築板１の送り方向に対して所定角度で傾斜させた状態で塗装ヘッド３に取り付けてあり、このように単体ヘッド１６を傾斜させることで建築板１の送り方向に対して垂直な方向（建築板１の幅方向）で隣合う噴射ノズル４のピッチを小さくして、高いｄｐｉで塗装を行なうことができるようにしてある。
【００１９】
この４種類の塗装ヘッド３ｃ，３ｍ，３ｙ，３ｋは所定の一定間隔で、建築板１の送り方向と平行な一列に配列されるが、本発明では、塗装ヘッド３ｃ，３ｍ，３ｙ，３ｋを一組として、複数組の塗装ヘッド３ｃ，３ｍ，３ｙ，３ｋを平行な複数列配置で塗装機本体１３に設けるものであり、図１，２の実施の形態では、二組の各塗装ヘッド３ｃ，３ｍ，３ｙ，３ｋを平行な２列に配置して設けるようにしてある。
【００２０】
そしてこのように二組の塗装ヘッド３ｃ，３ｍ，３ｙ，３ｋを配置するにあたって、図６に示すように、各組の塗装ヘッド３ｃ，３ｍ，３ｙ，３ｋを建築板１の送り方向の前後にずらして配置し、一方の組の建築板１の送り方向で隣合う塗装ヘッド３ｃ，３ｍ，３ｙ，３ｋの間にそれぞれ、他方の組みの各塗装ヘッド３ｃ，３ｍ，３ｙ，３ｋが位置するように、千鳥配列で二組の塗装ヘッド３ｃ，３ｍ，３ｙ，３ｋを配置してある。すなわち、前に位置する一方の組の塗装ヘッド３ｃ，３ｍの間に、後ろに位置する他方の組の塗装ヘッド３ｃが位置し、一方の組の塗装ヘッド３ｍ，３ｙの間に、他方の組の塗装ヘッド３ｍが位置し、一方の組の塗装ヘッド３ｙ，３ｋの間に、他方の組の塗装ヘッド３ｙが位置し、一方の組の塗装ヘッド３ｋの後に、他方の組の塗装ヘッド３ｋが位置するように、二組の各塗装ヘッド３ｃ，３ｍ，３ｙ，３ｋが配置されるものであり、このように一方の組と他方の組の同色の塗料を噴出する塗装ヘッド３ｃ，３ｍ，３ｙ，３ｋが隣合うように、各塗装ヘッド３ｃ，３ｍ，３ｙ，３ｋを配置するのが好ましい。
【００２１】
またこのように二組の塗装ヘッド３ｃ，３ｍ，３ｙ，３ｋを千鳥配置で配列することよって、一方の組の隣合う塗装ヘッド３ｃ，３ｍ，３ｙ，３ｋの端部間に他方の組の塗装ヘッド３ｃ，３ｍ，３ｙ，３ｋの端部を差し込むことができ、二組の塗装ヘッド３ｃ，３ｍ，３ｙ，３ｋの対向する側の端部を建築板１の幅方向で重複させることができる。従って、一方の組の塗装ヘッド３ｃ，３ｍ，３ｙ，３ｋに設けた噴射ノズル４と、他方の組の塗装ヘッド３ｃ，３ｍ，３ｙ，３ｋに設けた噴射ノズル４の、建築板１の幅方向での並びが、途切れることなく一定ピッチで連続するようにすることができるものである。
【００２２】
一方、塗装制御システム１２は、各種のＣＰＵ、ＲＯＭ、ＲＡＭ等から構成されるものであり、塗装データ作成部、塗装制御部、噴射ノズル制御部等を備えて形成してある。塗装データ作成部は、原画をスキャナ等して得た色柄パターンのデータを入力して保存するものであり、塗装制御部は、塗装を行なう建築板１に応じた色柄パターンのデータを塗装データ作成部から取り出し、この色柄パターンのデータに基づいて、噴射ノズル制御部に制御信号を出力するものである。また噴射ノズル制御部は塗装ヘッド３ｃ，３ｍ，３ｙ，３ｋの各噴射ノズル４に接続してあり、噴射ノズル制御部から入力される制御信号に基づいて各噴射ノズル４ｃ，３ｍ，３ｙ，３ｋを制御するものである。各噴射ノズル４は例えばピエゾ制御方式によりノズルが開閉されるようになっており、噴射ノズル制御部で各噴射ノズル４の開閉を制御することによって、シアン、マゼンタ、イエロー、ブラックの各塗料の噴出と停止を個別に制御して、色柄パターンに対応したフルカラー印刷による塗装を行なうことができるものである。
【００２３】
フィーダー１４は塗装機本体１３の下側に配置されるものであり、図１，図２のようにローラーコンベア１８とベルトコンベア１９とから形成してある。ローラーコンベア１８は塗装機本体１３の建築板１を導入する前方位置に配置してあり、ベルトコンベア１９はローラーコンベア１８に続いて、塗装機本体１３の建築板１を導入する前方位置から、塗装機本体１３の直下位置及び塗装機本体１３の建築板１を導出する後方位置にかけて配置してある。
【００２４】
ローラーコンベア１８は図１のように多数本のローラー２７を列設して形成されるものであり、このローラー２７は二列の塗装ヘッド３ｃ，３ｍ，３ｙ，３ｋに跨る長さに形成されるものである。そして各ローラー２７は、建築板１を搬送する方向に対して一方の端部が前側に他方の端部が後側に位置するように傾斜させてあり、各ローラー２７間において、ローラー２７の後傾する側の端部の位置と、ローラー２７の長手方向中央部位置とにそれぞれ、ローラー２７より上方に突出する位置決めピン２８が立設してある。ローラー２７の中央部に配置される位置決めピン２８は、広幅の建築板１を塗装する際にローラー２７の下方へ引っ込むように上下動されるものである。このようにローラー２７を傾斜させることによって、ローラーコンベア１８上を搬送される建築板１は、ローラー２７の傾斜によって位置決めピン２８に当接しながら送られることになり、建築板１の幅方向での位置決めを行なうことができるものである。
【００２５】
ベルトコンベア１９は二組の各塗装ヘッド３ｃ，３ｍ，３ｙ，３ｋに対応して二列に設けられるものであり、ベルトコンベア１９の塗装機本体１３より前方に位置する箇所には、上記の位置決めピン２８の並びの延長線上において、各ベルトコンベア１９の側部に沿って、ベルトコンベア１９より上方に突出する位置決めピン２９が複数本立設してある。隣合うベルトコンベア１９の間に配置される位置決めピン２９は、広幅の建築板１を塗装する際にベルトコンベア１９の下方へ引っ込むように上下動されるものである。また各ベルトコンベア１９の位置決めピン２９と対向する反対側の側部位置において、ベルトコンベア１９の上側には、シリンダー装置などを備えて形成されるプッシャー３０が設けてある。そして、ローラーコンベア１８上からこのベルトコンベア１９上に建築板１が搬送されると、プッシャー３０で建築板１の一方の側端部を押して、建築板１の他方の側端部を位置決めピン２９に押し当て、建築板１の幅方向での位置決めが正確に行なわれるようになっている。
【００２６】
しかして、セメント系板など窯業系の建築板１の表面に塗装を行なうにあたっては、まず建築板１をフィーダー１４のローラーコンベア１８に供給する。建築板１はローラーコンベア１８上を搬送される間に既述のようにして幅方向の位置決めをされ、さらにベルトコンベア１９の始端部上に移行してさらに既述のようにして幅方向を位置決めされた後、ベルトコンベア１９で送られてインクジェット式塗装機２の塗装機本体１３の下を通過する。そして建築板１をベルトコンベア１９で送りながら、既述のようにして建築板１の表面にインクジェット式塗装機２の各塗装ヘッド３ｃ，３ｍ，３ｙ，３ｋの噴射ノズル４から塗料を噴射させ、建築板１の表面を塗装することができるものである。このように塗装された建築板１はベルトコンベア１９の終端部へと送られ、次工程に搬出されるものである。
【００２７】
ここで、建築板１として幅が狭い（例えば幅約４５ｃｍ）建築板１ａを用いる場合は、図６に示すように、二組の塗装ヘッド３ｃ，３ｍ，３ｙ，３ｋのうち、一方の組の塗装ヘッド３ｃ，３ｍ，３ｙ，３ｋの下を通過させて、一方の組の塗装ヘッド３ｃ，３ｍ，３ｙ，３ｋのみで塗装を行なうものである。
【００２８】
また建築板１として幅が広い（例えば幅約９０ｃｍ）建築板１ｂを用いる場合は、図６に示すように、二組の塗装ヘッド３ｃ，３ｍ，３ｙ，３ｋに跨るようにして、二組の塗装ヘッド３ｃ，３ｍ，３ｙ，３ｋの下を通過させ、二組の両方の塗装ヘッド３ｃ，３ｍ，３ｙ，３ｋで塗装を行なうものである。
【００２９】
ここで、前後にずらして配置される二組の塗装ヘッド３ｃ，３ｍ，３ｙ，３ｋは、前にずれる一方の組の隣合う塗装ヘッド３ｃ，３ｍ，３ｙ，３ｋの間にそれぞれ、後ろにずれる他方の組みの塗装ヘッド３ｃ，３ｍ，３ｙ，３ｋが位置するように配置されているので、前の組と後ろの組において対応する塗装ヘッド３ｃ，３ｃの間、塗装ヘッド３ｍ，３ｍの間、塗装ヘッド３ｙ，３ｙの間、塗装ヘッド３ｋ，３ｋの間の各距離Ｄ２は、前記図７（ｂ）における隣合う塗装ヘッド３ｃ，３ｍ，３ｙ，３ｋの間隔Ｓと同じ７００ｍｍ程度の短い距離にすることができる。従って、ベルトコンベア１９による広幅の建築板１ｂの送り速度を４０ｍ／分とすると、前の組の塗装ヘッド３ｃ，３ｍ，３ｙ，３ｋから塗料を噴射した後、１．１秒後に、後ろの組の塗装ヘッド３ｃ，３ｍ，３ｙ，３ｋから塗料を噴射するように、噴射の時間タイミングを設定すればよい。このように、前の組と後ろの組の塗装ヘッド３ｃ，３ｍ，３ｙ，３ｋにおける噴射の時間タイミングを短くすることができるので、ベルトコンベア１９上での建築板１ｂの位置ずれや、ベルトコンベアの走行速度の変動や誤差の影響が小さくなる。従って、前の組みの塗装ヘッド３ｃ，３ｍ，３ｙ，３ｋによる塗装の位置と、後ろの組の塗装ヘッド３ｃ，３ｍ，３ｙ，３ｋによる塗装の位置とのずれを小さくすることができるものであり、建築板１ｂの幅方向全体の柄パターンにゆがみが生じることを防ぐことができると共に、前の組みの塗装ヘッド３ｃ，３ｍ，３ｙ，３ｋによる塗装と、後ろの組の塗装ヘッド３ｃ，３ｍ，３ｙ，３ｋによる塗装の間の境界が目立つことがなくなるものである。
【図面の簡単な説明】
【００３０】
【図１】本発明の実施の形態の一例を示す平面図である。
【図２】同上の正面断面図である。
【図３】同上のインクジェット式塗装機の概略構成を示す図である。
【図４】同上の塗装ヘッドの拡大した下面図である。
【図５】同上の単体ヘッドのさらに拡大した下面図である。
【図６】同上の塗装ヘッドの配置を示す概略平面図である。
【図７】従来例の塗装ヘッドの配置を示すものであり、（ａ），（ｂ），（ｃ）はぞれぞれ概略平面図である。
【図８】従来例による塗装の位置ずれを示す平面図である。
【符号の説明】
【００３１】
１  建築板
２  インクジェット式塗装機
３  塗装ヘッド
４  噴射ノズル
【図１】
2007098649.tif 000003
【図２】
2007098649.tif 000004
【図３】
2007098649.tif 000005
【図４】
2007098649.tif 000006
【図５】
2007098649.tif 000007
【図６】
2007098649.tif 000008
【図７】
2007098649.tif 000009
【図８】
2007098649.tif 000010